(57)【要約】【課題】  撮影に必要な情報を適切に表示することのできる撮像装置を小型に構成すること。【解決手段】  撮像装置１００はファインダ２００が取り外し可能に装着される。撮像装置２００は、ファインダ２００が装着されていない状態において外部から視認可能な画像表示面を備える表示部１３０と、表示部１３０を制御する制御部１６０と、ファインダ２００の着脱を検出する検出部１５０を有する。ファインダ２００は、表示部１３０の画像表示面上に装着され、制御部１６０は、ファインダ２００の有無によって表示部１３０の表示を変更するように表示部１３０を制御する。【選択図】  図１
2019213069.tif 000002
【特許請求の範囲】
【請求項１】
ファインダが取り外し可能に装着される撮像装置であって、
前記ファインダが装着されていない状態において、外部から視認可能な画像表示面を備える表示部と、
前記表示部を制御する制御部と、
前記ファインダの着脱を検出する検出部と、
を有し、
前記ファインダは、前記画像表示面上に装着されることで前記画像表示面を拡大して観察できるように構成されており、
前記制御部は、前記ファインダが装着されていない場合には、前記表示部の表示を第１の表示とし、前記ファインダが装着されている場合には、前記表示部の表示を前記第１の表示とは異なる第２の表示とするように前記表示部を制御することを特徴とする撮像装置。
【請求項２】
前記第１の表示において、前記撮像装置を用いて得られた画像に対して、被写体間の差異を強調する第１の画像処理を施した画像が表示されることを特徴とする請求項１に記載の撮像装置。
【請求項３】
前記第２の表示において、前記撮像装置を用いて得られた画像に対して、前記第１の画像処理を施していない画像が表示されることを特徴とする請求項２に記載の撮像装置。
【請求項４】
前記第１の画像処理は、コントラストを上げる画像処理であることを特徴とする請求項２または３に記載の撮像装置。
【請求項５】
前記第１の画像処理は、彩度を上げる画像処理であることを特徴とする請求項２乃至４のいずれか一項に記載の撮像装置。
【請求項６】
前記第１の画像処理は、エッジを強調する画像処理であることを特徴とする請求項２乃至５のいずれか一項に記載の撮像装置。
【請求項７】
前記第１の表示において、前記撮像装置を用いて得られた画像に対して、ピントの合った被写体を強調する第２の画像処理を施した画像が表示されることを特徴とする請求項１乃至６のいずれか一項に記載の撮像装置。
【請求項８】
前記第２の表示において、前記撮像装置を用いて得られた画像に対して、前記第２の画像処理を施していない画像が表示されることを特徴とする請求項７に記載の撮像装置。
【請求項９】
前記第２の画像処理は、ピントの合った被写体をシルエット化する画像処理であることを特徴とする請求項７または８に記載の撮像装置。
【請求項１０】
前記第２の画像処理は、ピントの合った被写体のエッジを強調する画像処理であることを特徴とする請求項７乃至９のいずれか一項に記載の撮像装置。
【請求項１１】
前記第１の表示において、撮影条件に関する情報は色の変化によって表示されることを特徴とする請求項１乃至１０のいずれか一項に記載の撮像装置。
【請求項１２】
前記第２の表示において、前記撮影条件に関する情報は文字によって表示されることを特徴とする請求項１１に記載の撮像装置。
【請求項１３】
前記表示部の前記画像表示面の対角寸法は１インチ以下であることを特徴とする請求項１乃至１２のいずれか一項に記載の撮像装置。
【請求項１４】
前記撮像装置は光学系を有し、
前記光学系の全画角は２４度以下であることを特徴とする請求項１乃至１３のいずれか一項に記載の撮像装置。
【請求項１５】
請求項１乃至１４のいずれか一項に記載の撮像装置に取り外し可能に装着されるファインダであって、
接眼光学系と、
前記ファインダが着脱されたことを前記検出部に検出させる識別手段と、
を有することを特徴とするファインダ。
【発明の詳細な説明】
【技術分野】
【０００１】
本発明は、撮像装置に関し、デジタルスチルカメラ、ビデオカメラ等に好適なものである。
【背景技術】
【０００２】
本体の背面に設けられた液晶画面（背面液晶）の他に電子ファインダを設けることで、ユーザの撮影形態に応じて撮影に必要な情報を提供できるように構成された撮像装置が知られている。
【０００３】
特許文献１には、背面液晶と電子ファインダを有する撮像装置が開示されている。特許文献１の電子ファインダは、撮像装置本体に対して着脱可能に構成されている。
【先行技術文献】
【特許文献】
【０００４】
【特許文献１】特開２０１６−８５２４３号公報
【発明の概要】
【発明が解決しようとする課題】
【０００５】
近年、撮像装置に対して更なる小型化が求められている。
【０００６】
特許文献１の撮像装置では、電子ファインダを着脱可能にしたことでユーザがファインダを覗かずに撮影する場合に撮像装置を小型化できるものの、ユーザがファインダを覗いて撮影する場合には背面液晶が設けられているスペースが無駄になっていた。
【０００７】
そこで本発明は、撮影に必要な情報を適切に表示することのできる撮像装置を小型に構成することを目的とする。
【課題を解決するための手段】
【０００８】
本発明の撮像装置は、ファインダが取り外し可能に装着される撮像装置であって、前記ファインダが装着されていない状態において、外部から視認可能な画像表示面を備える表示部と、前記表示部を制御する制御部と、前記ファインダの着脱を検出する検出部と、を有し、前記ファインダは、前記画像表示面上に装着されることで前記画像表示面を拡大して観察できるように構成されており、前記制御部は、前記ファインダが装着されていない場合には、前記表示部の表示を第１の表示とし、前記ファインダが装着されている場合には、前記表示部の表示を前記第１の表示とは異なる第２の表示とするように前記表示部を制御することを特徴とする。
【発明の効果】
【０００９】
本発明によれば、撮影に必要な情報を適切に表示することのできる撮像装置を小型に構成することができる。
【図面の簡単な説明】
【００１０】
【図１】実施例１の撮像装置およびファインダの概略図である。
【図２】実施例１の撮像装置およびファインダのブロック図である。
【図３】実施例１の撮像装置における第１の表示を説明する図である。
【図４】実施例１の撮像装置における第２の表示を説明する図である。
【図５】実施例２の撮像装置およびファインダの断面図である。
【図６】実施例２の撮像装置における第１の表示を説明する図である。
【図７】第１の表示の変形例を説明する図である。
【発明を実施するための形態】
【００１１】
以下、本発明の撮像装置の実施例について説明する。
【００１２】
［実施例１］
図１は実施例１の撮像装置１００およびファインダ２００を示す概略図である。図１（ａ）から図１（ｄ）の各図に示した座標軸は互いに対応している。また、図１（ａ）、（ｂ）、（ｄ）の各図に示したブロック矢印は光の入射方向を示している。
【００１３】
図１（ａ）は撮像装置１００とファインダ２００の斜視図である。図１（ａ）に示すように、撮像装置１００は光学系（結像光学系）１１０、撮像素子１２０を有する。光学系１１０は撮像装置１００と一体であっても別体であっても良い。撮像素子１２０は光学系１１０によって形成される像を光電変換し、画像を生成する。撮像素子１２０としては、ＣＣＤセンサやＣＭＯＳセンサを用いることができる。ＣＭＯＳセンサとしては、例えば有効画素数が約１０００万画素（横３８８８×縦２５９２画素、アスペクト比３：２）のものを用いることができる。
【００１４】
ファインダ２００は、撮像装置１００に取り外し可能に装着されている。ファインダ２００は接眼光学系２１０を有している。接眼光学系２１０は、後述する表示部の画像表示面に表示された画像を拡大して観察できるように構成されている。
【００１５】
図１（ｂ）はファインダ２００が取り外された状態の撮像装置１００の斜視図である。図１（ａ）においてファインダ２００が装着されていた部分には、表示部１３０と、電極１４０が設けられている。表示部１３０は、ファインダ２００が装着されていない状態において画像表示面を外部から視認可能なように撮像装置１００に設けられている。
【００１６】
図１（ｃ）はファインダ２００単体での斜視図である。ファインダ２００を撮像装置１００に装着する際に撮像装置１００と対向する面には、開口部２２０と電極２４０が設けられている。開口部２２０は、ファインダ２００を撮像装置１００に装着した状態で表示部１３０の画像表示面上に位置するように設けられており、画像表示面に表示された画像からの光は開口部２２０を通して接眼光学系２１０に導かれる。また、電極２４０はファインダ２００を撮像装置１００に装着した状態で電極１４０と接触する位置に設けられている。
【００１７】
図１（ｄ）は、図１（ａ）に示す状態のｙ断面（ｙ軸に垂直な断面）での断面図である。
【００１８】
図２は本実施例の撮像装置１００およびファインダ２００の機能ブロック図である。
【００１９】
撮像装置１００は、撮像装置１００の各部を制御する制御部１６０を有する。例えば光学系１１０がズーム機構、フォーカス機構、像ブレ補正機構を有する場合、それらの機能のためのレンズの駆動は制御部１６０の制御の下で行われる。また、撮像素子１２０を移動することによってフォーカシングや像ブレ補正を行う場合、撮像素子１２０の駆動は制御部１６０の制御の下で行われる。
【００２０】
撮像素子１２０によって取得された画像データは、画像処理部１７０で所定の画像処理が行われる。画像処理部１７０は表示部１３０に表示するための画像の生成も行う。
【００２１】
検出部１５０は、電極１４０を含み、撮像装置１００に対するファインダ２００の着脱を検出する。撮像装置１００にファインダ２００が装着されると、検出部１５０の電極１４０はファインダ２００に設けられた識別部２５０の電極２４０と接触する。識別部２５０は撮像装置１００に対してファインダ２００が着脱されたことを撮像装置１００に識別させる機能を有している。識別方法としては、例えば検出部１５０と識別部２５０の間で通信を行っても良いし、電極１４０と電極２４０が通電することを検出させることによって行っても良い。検出部１５０は制御部１６０に接続されており、ファインダ２００の着脱の検出結果は制御部１６０に通知される。
【００２２】
以上のように、本実施例の撮像装置１００では、撮影に必要な情報を表示するための表示部１３０はファインダ２００を用いる場合と用いない場合とで共通化されている。表示部１３０に表示される情報は、ファインダ２００が装着されていない状態では外部から直接視認される。一方、ファインダ２００が撮像装置１００に装着されている状態では、表示部１３０に表示される情報は接眼光学系２１０を介して拡大されて視認される。このように表示部１３０を共通化することで、撮像装置１００を小型に構成することができる。
【００２３】
次に、本実施例における表示部１３０の表示の制御について述べる。表示部１３０の表示は制御部１６０によって行われる。
【００２４】
ファインダ２００を使用する場合、表示部１３０の表示は拡大して観察される。したがって、ユーザによって視認される表示部１３０の大きさはファインダ２００の有無によって異なることになる。
【００２５】
そこで本実施例では、制御部１６０はファインダ２００の着脱の検出結果に応じて表示部１３０の表示を異ならせるように制御する。具体的には、ファインダ２００が装着されていない場合、制御部１６０は、表示部１３０を直接視認するのに適した表示である第１の表示とするように表示部１３０を制御する。一方、ファインダ２００が装着されている場合、制御部１６０は、表示部１３０を拡大して観察するのに適した表示である第２の表示とするように表示部１３０を制御する。これによって、撮像装置１００を小型としつつ、ユーザの撮影形態に応じて撮影に必要な情報を適切に表示することが可能となる。撮影に必要な情報としては、構図、ピント位置に関する情報、撮影条件に関する情報、撮影モードに関する情報等が含まれる。
【００２６】
次に、第１の表示と第２の表示の具体例について、図３、４を用いて説明する。
【００２７】
図３は、本実施例の第１の表示を説明する図である。図３（ａ）は、表示部１３０の画像表示面に表示される画像を示している。
【００２８】
第１の表示において、撮像装置１００によって撮影された画像は、画像表示面上の領域１３１に表示される。このとき、表示部１３０を直接視認するのに適した表示とするために、撮像装置１００によって撮影された画像に対して画像処理を行うことが好ましい。具体的には、被写体間の差異を強調する第１の画像処理を行うことが好ましい。このような画像処理としては、コントラストを上げる処理、彩度を上げる処理、被写体のエッジを強調する処理（シャープネスを上げる処理）等がある。被写体のエッジを強調する処理は例えばアンシャープマスク処理や微分フィルタを用いた画像処理である。なお、第１の画像処理において行われるコントラスト、彩度、シャープネスを上げる処理は、強度に所定の閾値を設けて他の処理と区別しても良い。すなわち、所定の強度よりも弱いコントラスト、彩度、シャープネス強調処理は第１の画像処理には含まれないと見做すことができる。
【００２９】
第１の画像処理を行うことによって、被写体間の差異が強調されるため、ファインダ２００を用いずに表示部１３０を直接視認する場合にも、構図を容易に確認することができる。
【００３０】
また、第１の表示において撮影条件に関する情報を表示する場合、文字で示すと視認するのが困難となる場合がある。ここで、撮影条件とは、絞り値（Ｆ値）、シャッタースピード、ＩＳＯ感度を含む情報である。このため、第１の表示における撮影条件に関する情報は文字以外の方法で表示することが好ましい。図３（ａ）において、領域１３３および１３２は、シャッタースピード、絞り値、ＩＳＯ感度等の撮影条件に関する情報を色の変化（濃淡の変化を含む）で表示している。各撮影条件と領域１３３および１３２の色の関係は、図３（ｂ）に示す通りである。図３（ａ）では撮影条件に関する情報として２つの情報を表示しているが、どの情報を表示するかは自動で決定しても良いし、ユーザが選択しても良い。自動で決定する場合、例えばユーザによって絞り優先モードが選択されていれば絞り値とＩＳＯ感度を表示する。シャッタースピード優先モードが選択されていればシャッタースピードとＩＳＯ感度を表示する。
【００３１】
なお、撮影条件に関する情報は文字以外の方法としては色の他にも、スライダーによって撮影条件の値を示したり、アイコンの位置や大きさによって撮影条件の値を示したりしても良い。
【００３２】
図４は、本実施例の第２の表示の具体例を説明する図である。このとき、表示部１３０はファインダ２００を通して拡大して観察されるため、ユーザは表示部１３０に表示された画像の細かな部分も比較的容易に視認することができる。すなわち、ファインダ２００が装着された状態は、ファインダ２００が装着されていない状態に比べて表示部１３０に表示される画像を鑑賞するのに適した状態であると言える。このため、第２の表示では第１の表示で行ったような被写体間の差異を強調するような第１の画像処理は行わないことが好ましい。このとき、撮像装置１００によって撮影された画像に対して表示部１３０の解像度に合わせる拡大／縮小処理のみを行い、表示部１３０に表示する。したがって、第１の表示で画像のコントラストを上げる場合、第１の表示のコントラストは第２の表示のコントラストよりも高くなる。また、第１の表示で画像の彩度を上げる場合、第１の表示の彩度は第２の表示の彩度よりも高くなる。
【００３３】
また、第２の表示は拡大されて観察される表示であるため、第２の表示において撮影条件に関する情報を表示する場合には文字で表示することが好ましい。撮影条件に関する情報を文字で表示することによって、正確な撮影条件をユーザに知らせることができる。
【００３４】
なお、撮像装置１００およびファインダ２００をより小型に構成するためには、表示部１３０はある程度小さいことが好ましい。したがって、表示部１３０の画像表示面の対角寸法は、１インチ以下であることが好ましい。１インチ以下の表示部としては、例えばミラーレスカメラ用の電子ファインダに用いられている０．３９型、２３６万ドットの有機ＥＬディスプレイや、０．５型２００万ドットの液晶ディスプレイを用いることができる。
【００３５】
また、光学系１１０の対角全画角は２４度以下であることが好ましい。全画角２４度は、３５ｍｍ版換算での焦点距離にしておよそ１００ｍｍである。対角全画角を２４度以下とすることで遠くの被写体を大きく写せるが、広角のレンズを用いる場合と比べて構図決めがシビアとなる。また、被写界深度が浅くなるため、被写体にピントが合っているかを確認する必要がある。本実施例の撮像装置１００では表示部１３０を有するため、容易に構図を確認することができる。そのため、本実施例の構成によるメリットは光学系１１０の全画角が２４度以下であるときに特に有効となる。
【００３６】
［実施例２］
次に、実施例２の撮像装置１００およびファインダ２００について述べる。
【００３７】
本実施例の撮像装置１００およびファインダ２００は、検出部１５０および識別部２５０の構成と、第１の表示の表示内容が実施例１とは異なる。その他の構成および第２の表示は実施例１と同じである。
【００３８】
本実施例における検出部１５０および識別部２５０の構成について図５を用いて説明する。
【００３９】
図５（ａ）は、本実施例の撮像装置１００検出部１５０周辺の断面図である。図５（ａ）はファインダ２００が撮像装置１００から取り外された状態であり、撮像装置１００のみ示している。
【００４０】
本実施例において、検出部１５０は、外部に露出していない電極１５１、１５２、スプリング１５３を有する。電極１５１、１５２は共に制御部１６０に電気的に接続されている。電極１５２は強磁性体で構成されている。電極１５２は一端を回動可能に保持されており、スプリング１５３は電極１５２の回動中心において電極１５２の他端が電極１５１から離れる方向に電極１５２を付勢している。このため、撮像装置１００にファインダ２００が装着されていない状態では、電極１５１と電極１５２は接触していない。
【００４１】
図５（ｂ）は、ファインダ２００が撮像装置１００に装着された状態での検出部１５０、識別部２５０の周辺の断面図である。
【００４２】
ファインダ２００は、ファインダ２００が撮像装置１００に装着された時に検出部１５０に略対向する位置に、識別部２５０としての磁石（永久磁石）を有する。ファインダ２００が撮像装置１００に取り付けられると、識別部２５０の磁力により、電極部１５２が電極１５１の方向に引き寄せられる。その結果、電極部１５２が電極１５１に接触して通電する。また、図５（ｂ）に示す状態からファインダが取り外されると、電極１５２はスプリング１５３によって電極１５１から離れ、電気的に切断される。本実施例において、検出部１５０はこのような機構によってファインダ２００の着脱を検出する。
【００４３】
本実施例では、このように検出部１５０を撮像装置１００の内部に設け、識別部２５０をファインダ２００の内部に設けている。このため、実施例１のように電極を露出させる必要がなく、耐久性を向上させることができる。また、防水加工を容易にすることができる。
【００４４】
次に、本実施例における表示部１３０の表示について述べる。
【００４５】
上述したように、第１の表示では表示部１３０の表示は直接視認されるため、表示内容が視認しづらい場合がある。このとき、所望の被写体にピントが合っているか否かがわかりづらい場合がある。これは撮像装置１００の光学系１１０の被写界深度が浅い場合に特に顕著となる。
【００４６】
そこで、本実施例では、第１の表示において、撮像装置１００によって撮影された画像に対して、ピントの合っている被写体を強調するような第２の画像処理を施して表示させる。
【００４７】
図６は本実施例における第１の表示を説明する図である。図６（ａ）は、ピントのあっている被写体１３４（光学系１１０の焦点深度内に存在する被写体）と、それ以外の領域１３５が、それぞれ別の色味で表示されている状態を示している。このとき、ピントの合っている被写体を全て同一の色で塗りつぶしてシルエット化しても良い。また、背景（ピントの合っていない領域）はブラックアウトして表示させても良い。また、ピントの合っている被写体は通常通り表示して、背景（ピントの合っていない領域）のみブラックアウトさせても良い。これによって、どの被写体にピントがあっているかを容易に判別できるようになる。
【００４８】
また、図６（ｂ）のようにピントのあっている被写体のエッジ部のみを表示し、その他の部分（ピントの合っている被写体以外の領域と、ピントの合っている被写体のエッジ部以外の領域）を同一の色で塗りつぶしたり、ブラックアウトさせたりしても良い。
【００４９】
このように、シルエット表示や輪郭表示等のピントのあっている被写体を強調する表示を行うことによって、ファインダ２００を用いない場合であっても容易にピント確認を行うことが可能となる。
【００５０】
なお、ピントが合っているか否かの合焦判断は、既存の方法を用いれば良い。例えば、いわゆるコントラストＡＦ（オートフォーカス）のように、画像におけるコントラストを評価することで合焦判断を行うことができる。
【００５１】
なお、実施例１に説明した第１の表示と、実施例２に説明した第１の表示を組み合わせて行っても良い。例えば彩度またはコントラストを上げる処理を画像全体に対して行うことによって被写体間の差異を強調しつつ、ピントの合っている被写体のエッジを強調する処理を行うことによってピントの合っている被写体を強調した画像を表示部１３０に表示する。この場合、背景（ピントの合っていない領域）に対するエッジ強調も行っても良いが、ピントの合っている被写体に対するエッジ強調とは強さを変えることが好ましい。これによって、構図確認およびピント位置の確認を容易にすることができる。
【００５２】
［変形例］
第１の表示に関する変形例について述べる。実施例１では、第１の表示において撮影条件に関する情報を文字以外の方法で表示することを述べたが、撮影条件以外の情報を文字以外の方法で表示しても良い。例えば、撮影モードと色を対応付けて、図７のように表示しても良い。図７（ａ）、（ｂ）における領域１３５は撮影モードに関する情報を色で表示するための領域である。図７（ａ）と図７（ｂ）では、それぞれ異なるモードにおける第１の表示を示している。
【００５３】
撮影モードとしては、動画撮影モードと静止画撮影モードの組み合わせや、Ｔｖ，Ａｖモードの組み合わせがある。また、撮像装置１００がＡＦのモードを複数有する場合、現在のＡＦモードを色で表示しても良い。ＡＦモードとしては、例えば顔優先モード（被写体の顔に優先的にピントを合わせるモード）と至近優先モード（撮影範囲における最至近の被写体にピントを合わせるモード）の組み合わせがある。
【００５４】
なお、図３、７において、撮影情報や撮影モードを表示する領域は表示部１３０の画像表示面の外縁を取り囲むように設けられているが、表示面の１辺だけであっても良い。また、撮影情報や撮影モードは常に表示している必要はなく、所定の時間表示した後に消えるようにしても良い。
【００５５】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００５６】
１００  撮像装置
１３０  表示部
１５０  検出部
１６０  制御部
２００  ファインダ
【図１】
2019213069.tif 000003
【図２】
2019213069.tif 000004
【図３】
2019213069.tif 000005
【図４】
2019213069.tif 000006
【図５】
2019213069.tif 000007
【図６】
2019213069.tif 000008
【図７】
2019213069.tif 000009